(57)【要約】【課題】被制御装置の設定値を、容易に所望の設定値に設定することができる操作装置を提供する。【解決手段】実施の形態に係る操作装置１は、空調装置の設定温度を表示する表示部１０と、なされた操作に基づいて表示部１０に表示された設定温度を変更可能な操作部１２と、操作部１２になされた操作により設定された設定温度の履歴情報１４０を生成する履歴情報生成部１３と、履歴情報生成部１３が生成した履歴情報１４０を記憶する記憶部１４と、操作部１２になされた操作に基づいて記憶部１４から履歴情報１４０を読み出し、読み出した履歴情報１４０に基づいた設定温度を表示部１０に表示させる表示制御信号、及び空調装置を制御する制御信号を生成する制御部１６と、を備えて概略構成されている。【選択図】図３
2013052815.tif 000002
【特許請求の範囲】
【請求項１】
被制御装置の設定値を表示する表示部と、
なされた操作に基づいて前記表示部に表示された設定値を変更可能な操作部と、
前記操作部になされた操作により設定された設定値の履歴情報を生成する履歴情報生成部と、
前記履歴情報生成部が生成した前記履歴情報を記憶する記憶部と、
前記操作部になされた操作に基づいて前記記憶部から前記履歴情報を読み出し、読み出した前記履歴情報に基づいた設定値を前記表示部に表示させる表示制御信号、及び前記被制御装置を制御する制御信号を生成する制御部と、
を備えた操作装置。
【請求項２】
前記制御部は、現在の設定値よりも高い設定値となるように前記操作部が操作されたとき、前記履歴情報に基づいて前記現在の設定値よりも高く、かつ、設定された回数が最も多い設定値を前記表示部に表示させ、
現在の設定値よりも低い設定値となるように前記操作部が操作されたとき、前記履歴情報に基づいて前記現在の設定値よりも低く、かつ、設定された回数が最も多い設定値を前記表示部に表示させる請求項１に記載の操作装置。
【請求項３】
前記制御部は、現在の設定値よりも高い設定値となるように前記操作部が操作されたとき、前記履歴情報に基づいて前記現在の設定値よりも高く、かつ、設定されたことがある最も高い設定値を前記表示部に表示させ、
現在の設定値よりも低い設定値となるように前記操作部が操作されたとき、前記履歴情報に基づいて前記現在の設定値よりも低く、かつ、設定されたことがある最も低い設定値を前記表示部に表示させる請求項１に記載の操作装置。
【請求項４】
前記履歴情報生成部は、車両の電子キーから取得する識別情報に基づいて、操作者に応じた前記履歴情報を生成する請求項１乃至請求項３のいずれか１項に記載の操作装置。
【発明の詳細な説明】
【技術分野】
【０００１】
本発明は、操作装置に関する。
【背景技術】
【０００２】
従来の技術として、空調装置の設定温度を変更することができる設定温度変更手段と、空調装置を制御する制御手段と、設定温度の変更に対応した制御を制御手段に実行させる学習データを生成する学習手段と、を備えた空調装置用制御装置が知られている（例えば、特許文献１参照。）。
【０００３】
この空調装置用制御装置は、設定温度変更手段による設定温度の変更分の積み重ね値が温度上昇方向に閾値を越えた時に、初期設定温度に所定の値を加算してこの初期設定温度を更新し、設定温度の変更分の積み重ね値が温度下降方向に閾値を越えた時に、初期設定温度から所定の値を減算して初期設定温度を更新するように構成されている。
【先行技術文献】
【特許文献】
【０００４】
【特許文献１】特開平６−２９７９３１号公報
【発明の概要】
【発明が解決しようとする課題】
【０００５】
この設定温度変更手段としては、操作部の回転量に応じて設定値を変更するダイヤル式、操作面をなぞった距離や速度に応じて設定値を変更するタッチセンサ式等がある。しかし、いずれの場合においても、操作者が希望する設定温度になるように操作するためには、表示される設定温度を見ながら操作量を調整しなければならず、操作感が良いものではない。また、従来の空調装置用制御装置のように学習機能を有していても、学習機能が、所望の設定温度に合わせ易くするためのものではないため、操作感は改善されない。
【０００６】
従って、本発明の目的は、被制御装置の設定値を、容易に所望の設定値に設定することができる操作装置を提供することにある。
【課題を解決するための手段】
【０００７】
本発明の一態様は、被制御装置の設定値を表示する表示部と、なされた操作に基づいて表示部に表示された設定値を変更可能な操作部と、操作部になされた操作により設定された設定値の履歴情報を生成する履歴情報生成部と、履歴情報生成部が生成した履歴情報を記憶する記憶部と、操作部になされた操作に基づいて記憶部から履歴情報を読み出し、読み出した履歴情報に基づいた設定値を表示部に表示させる表示制御信号、及び被制御装置を制御する制御信号を生成する制御部と、を備えた操作装置を提供する。
【発明の効果】
【０００８】
本発明によれば、被制御装置の設定値を、容易に所望の設定値に設定することができる。
【図面の簡単な説明】
【０００９】
【図１】図１（ａ）は、第１の実施の形態に係る操作装置の概略図であり、（ｂ）は、操作装置の操作部の概略図であり、（ｃ）は、操作装置のブロック図である。
【図２】図２（ａ）は、第１の実施の形態に係る履歴情報を説明するための図であり、（ｂ）は、設定温度と設定回数のグラフである。
【図３】図３は、第１の実施の形態に係る操作装置の動作を説明するためのフローチャートである。
【図４】図４（ａ）は、第２の実施の形態に係る履歴情報を説明するための図であり、（ｂ）は、第２の実施の形態に係る操作装置の動作を説明するためのフローチャートである。
【図５】図５（ａ）は、第３の実施の形態に係る履歴情報を説明するための図であり、（ｂ）は、第３の実施の形態に係る操作装置の動作を説明するためのフローチャートである。
【図６】図６（ａ）は、第４の実施の形態に係る履歴情報を説明するための図であり、（ｂ）は、第５の実施の形態に係る履歴情報を説明するための図であり、（ｃ）は、操作装置が搭載された車両の車両システムに関するブロック図である。
【発明を実施するための形態】
【００１０】
（実施の形態の要約）
実施の形態に係る操作装置は、被制御装置の設定値を表示する表示部と、なされた操作に基づいて表示部に表示された設定値を変更可能な操作部と、操作部になされた操作により設定された設定値の履歴情報を生成する履歴情報生成部と、履歴情報生成部が生成した履歴情報を記憶する記憶部と、操作部になされた操作に基づいて記憶部から履歴情報を読み出し、読み出した履歴情報に基づいた設定値を表示部に表示させる表示制御信号、及び被制御装置を制御する制御信号を生成する制御部と、を備える。
【００１１】
[第１の実施の形態]
（操作装置１の構成）
図１（ａ）は、第１の実施の形態に係る操作装置の概略図であり、（ｂ）は、操作装置の操作部の概略図であり、（ｃ）は、操作装置のブロック図である。本実施の形態では、一例として、車両に搭載された空調装置（被制御装置）を制御するものとして操作装置１を記載する。なお、実施の形態に係る各図において、部品と部品との比率は、実際の比率とは異なる場合がある。
【００１２】
本実施の形態に係る操作装置１は、空調装置の設定値（設定温度）を表示する表示部１０と、なされた操作に基づいて表示部１０に表示された設定温度を変更可能な操作部１２と、操作部１２になされた操作により設定された設定温度の履歴情報１４０を生成する履歴情報生成部１３と、履歴情報生成部１３が生成した履歴情報１４０を記憶する記憶部１４と、操作部１２になされた操作に基づいて記憶部１４から履歴情報１４０を読み出し、読み出した履歴情報１４０に基づいた設定温度を表示部１０に表示させる表示制御信号、及び空調装置を制御する制御信号を生成する制御部１６と、を備えて概略構成されている。
【００１３】
・表示部１０の構成
表示部１０は、例えば、液晶ディスプレイを含んで構成される。この表示部１０は、例えば、図１（ａ）に示すように、設定温度表示領域１００と、風量表示領域１０１と、吹出口表示領域１０２と、を有している。
【００１４】
設定温度表示領域１００は、例えば、空調装置の現在の設定温度を表示する領域である。風量表示領域１０１は、例えば、空調装置の現在の風量を表示する領域である。吹出口表示領域１０２は、例えば、車両のいずれの吹出口から温度調整された空気が吹出しているのかを表示する領域である。なお、設定値の変更は、例えば、風量の変更及び吹出口の変更であっても良く、それぞれに関連付けられた履歴情報１４０が生成される。
【００１５】
・操作部１２の構成
操作部１２は、例えば、静電容量の変化から操作を検出する静電容量タッチセンサを含んで構成される。また、操作部１２は、例えば、図１（ｂ）に示すように、第１の電極１２１〜第６の電極１２６を備え、これらの電極と操作者の指との間の静電容量に基づいた操作情報を制御部１６に出力するように構成されている。
【００１６】
操作者が、操作部１２の中心から上部（三角形のマークがある場所）に向けて操作すると、制御部１６は、例えば、設定温度を上昇させる操作がなされたと判定する。また、操作者が、操作部１２の中心から下部（逆三角形のマークがある場所）に向けて操作すると、制御部１６は、例えば、設定温度を下降させる操作がなされたと判定する。以下では、例えば、指を操作部１２に接触させてスライドさせる操作をなぞり操作と記載する。
【００１７】
操作装置１は、例えば、操作者が、三角形のマーク、つまり、第１の電極１２１の近傍に対して長押操作を行うと、現在の設定温度から０．５℃ずつ上昇するように設定温度表示領域１００に表示された表示が変わると共に、制御部１６から空調装置へ制御信号が出力されるように構成されている。
【００１８】
また、操作装置１は、例えば、操作者が、逆三角形のマーク、つまり、第６の電極１２６の近傍に対して長押操作を行うと、例えば、現在の設定温度から０．５℃ずつ下降するように設定温度表示領域１００に表示された表示が変わると共に、制御部１６から空調装置へ制御信号が出力される。ここで、長押操作とは、例えば、予め決められた時間以上、操作部１２を指で触れて移動させない操作を示す。
【００１９】
さらに、操作装置１は、例えば、なぞり操作の速度に応じて、表示の変更の早さが変わるように構成されている。例えば、操作者が、ゆっくりなぞり操作を行った場合は、設定温度の上昇又は下降がゆっくりとなり、早くなぞり操作を行った場合は、ゆっくりなぞり操作を行ったときよりも早く設定温度が上昇又は下降する。また、操作装置１は、例えば、なぞり操作の距離に応じて設定温度の上昇又は下降の早さを変えるように構成されている。
【００２０】
またさらに、操作装置１は、例えば、操作部１２の中央近傍（例えば、第３の電極１２３及び第４の電極１２４の近傍）に対して、予め定められた時間以上長押操作がなされることで、履歴情報１４０を初期状態に戻すように構成される。この初期状態とは、一例として、履歴情報１４０がクリアされた状態であり、表示部１０の設定温度表示領域１００には、予め定められた初期状態における設定温度として２５．０℃が表示される。
【００２１】
・履歴情報生成部１３の構成
図２（ａ）は、第１の実施の形態に係る履歴情報を説明するための図であり、（ｂ）は、設定温度と設定回数のグラフである。
【００２２】
履歴情報生成部１３は、例えば、図１（ｃ）に示すように、操作部１２から取得した操作情報に基づいて履歴情報１４０を生成するように構成されている。
【００２３】
履歴情報１４０は、例えば、図２（ａ）に示すように、設定回数情報１４１を含んで構成されている。
【００２４】
設定回数情報１４１は、例えば、設定温度ごとに設定された回数（設定回数）をカウントし、設定温度と設定回数を関連付けた情報である。例えば、図２（ｂ）を参照すると、最も多く設定されている設定温度は、２５．０℃で、５０回以上設定されていることを示している。一方、例えば、設定温度２１．５℃、２２．５℃は、一度も設定されていないことを示している。
【００２５】
・記憶部１４の構成
記憶部１４は、例えば、半導体メモリ等を含んで構成される。本実施の形態では、記憶部１４は、制御部１６に接続されているが、これに限定されず、例えば、制御部１６内のＲＡＭ（Random Access Memory）等であっても良い。
【００２６】
・制御部１６の構成
制御部１６は、例えば、プログラムに従って、取得したデータに演算、加工等を行うＣＰＵ（Central Processing Unit）、半導体メモリであるＲＡＭ及びＲＯＭ（Read Only Memory）等から構成されるマイクロコンピュータである。ＲＡＭは、例えば、一時的に演算結果等を格納する記憶領域として用いられる。
【００２７】
制御部１６は、例えば、履歴情報１４０に基づいた設定温度を表示部１０に表示させる表示制御信号を生成すると共に、空調装置を制御する制御信号を生成する。空調装置は、例えば、この制御信号に基づいた設定温度に応じて温度調整された空気を車室内に供給する。
【００２８】
以下に、本実施の形態に係る操作装置１の動作について、図３のフローチャートに従って説明する。
【００２９】
（第１の実施の形態の動作）
操作者が、設定温度を高く変更するため、操作部１２に対して上向きになぞり操作を行う。
【００３０】
操作部１２は、なされた操作に基づいて操作情報を生成し、履歴情報生成部１３及び制御部１６に出力する。
【００３１】
制御部１６は、操作情報を取得すると（Ｓ１）、現在の設定温度よりも高い設定温度に変更するのか否かを判定する。
【００３２】
制御部１６は、現在の設定温度よりも高い設定温度となるように操作部１２が操作されたと判定すると（Ｓ２：Ｙｅｓ）、記憶部１４から履歴情報１４０を読み出し、この履歴情報１４０に基づいて現在の設定温度よりも高く、かつ、設定された回数が最も多い設定温度を表示部１０に表示させる（Ｓ３）。制御部１６は、変更した設定温度に基づいた制御信号を空調装置に出力する（Ｓ４）。
【００３３】
具体的な例として図２（ｂ）に示すグラフを参照して説明すると、図１（ａ）に示す現在の設定温度（２５．５℃）よりも高い設定温度で、回数が最も多い設定温度は、２７．５℃であるから、制御部１６は、表示部１０の設定温度表示領域１００の表示が２７．５℃となる表示制御信号を生成して表示部１０に出力すると共に、設定温度が２７．５℃となる制御信号を生成し、空調装置に出力する。
【００３４】
ここで、操作者が現在の設定温度よりも低い設定温度とするなぞり操作を操作部１２に行った場合、つまり、ステップ２において「Ｎｏ」が成立する場合（Ｓ２：Ｎｏ）、読み出した履歴情報１４０に基づいて現在の設定温度よりも低く、かつ、設定された回数が最も多い設定温度を表示部１０に表示させる（Ｓ５）。図２（ｂ）に示すグラフを参照すると、条件を満たす設定温度は、２５．０℃であるから、制御部１６は、表示部１０の設定温度表示領域１００の表示が２５．０℃となる表示制御信号を生成して表示部１０に出力すると共に、設定温度が２５．０℃となる制御信号を生成し、空調装置に出力する。
【００３５】
なお、上記の動作において、設定された回数が最も多い設定温度が、複数ある場合は、一例として、現在の設定温度に近い設定温度が選択されるものとする。
【００３６】
また、履歴情報生成部１３は、予め定められた期間に、設定温度が変更されなければ、上記の操作により変更された設定温度に対応する設定回数を＋１増加させた履歴情報１４０を生成し、記憶部１４に記憶させる。
【００３７】
なお、本実施の形態の変形例として、制御部１６は、現在の設定温度よりも高い設定温度となるように操作部１２が操作されたとき、履歴情報１４０に基づいて現在の設定温度よりも高く、かつ、設定されたことがある最も高い設定温度を表示部１０に表示させる構成としても良い。また、制御部１６は、現在の設定温度よりも低い設定温度となるように操作部１２が操作されたとき、履歴情報１４０に基づいて現在の設定温度よりも低く、かつ、設定されたことがある最も低い設定温度を表示部１０に表示させる構成としても良い。
【００３８】
この変形例の具体的な例として図２（ｂ）に示すグラフを参照して説明すると、前者の場合、図１（ａ）に示す現在の設定温度（２５．５℃）よりも高い設定温度で、設定されたことがある最も高い設定温度は、３０．０℃であるから、制御部１６は、表示部１０の設定温度表示領域１００の表示が３０．０℃となる表示制御信号を生成して表示部１０に出力すると共に、設定温度が３０．０℃となる制御信号を生成し、空調装置に出力する。また、後者の場合、制御部１６は、現在の設定温度（２５．５℃）よりも低い設定温度で、設定されたことがある最も低い設定温度は、２０．０℃であるから、制御部１６は、表示部１０の設定温度表示領域１００の表示が２０．０℃となる表示制御信号を生成して表示部１０に出力すると共に、設定温度が２０．０℃となる制御信号を生成し、空調装置に出力する。
【００３９】
また、他の変形例として、操作装置１は、例えば、設定回数が予め定められた回数よりも少ない設定温度には変更しないように構成されても良い。例えば、上記の変形例は、設定されたことがある最も高い又は最も低い設定温度に変更するものであったが、１０回以下の設定回数の設定温度には変更しないように構成することにより、図２（ｂ）に示す設定温度２０．０℃〜２１．０℃、２２．０℃、２６．０℃及び３０．０℃が選択されない。従って、上記の変形例において、前者の場合は、設定温度が２７．５℃となり、後者の場合は、設定温度が２３．０℃となる。
【００４０】
さらに、他の変形例として、操作装置１は、例えば、なぞり操作に基づいて算出された設定温度の近傍で、かつ、設定回数が多い設定温度を選択するように構成されても良い。例えば、現在の設定温度が２３．０℃であるとき、なぞり操作から算出された設定温度が２６．０℃であった場合、その設定温度の近傍を両隣とすると、設定回数は、２６．５℃が最も多いので、操作装置１は、この設定温度に変更する。
【００４１】
なお、実施の形態及び各変形例は、モードとして切り替えられるように、操作装置１が構成されても良い。また、設定回数が多い設定温度が選択され易くするため、操作装置１は、例えば、設定回数に応じてモードが切り替わる構成であっても良い。例えば、操作装置１は、設定温度２５．０℃が、他の設定温度よりも予め定められたしきい値よりも大きい場合、２５．０℃が選択され易いモード（例えば、実施の形態）に切り替わるように構成されても良い。
【００４２】
（第１の実施の形態の効果）
本実施の形態に係る操作装置１は、現在の設定温度から上昇又は下降させるかを判定した後、履歴情報１４０に基づいて最も多く設定された設定温度を表示部１０に表示させ、空調装置にその設定温度に応じた制御信号を出力するので、空調装置の設定温度を、容易に所望の設定温度に設定することができ、操作性が向上する。例えば、操作部１２がタッチセンサである場合、なぞり操作により所望の設定温度にあわせることは困難である。しかし、この操作装置１は、まず、履歴情報１４０に基づいて設定回数の多い設定温度を表示するので、操作者が望む設定温度が表示された設定温度でない場合であっても、所望の設定温度から大きく離れた設定温度を表示しないので、容易に調整可能となり、操作性が向上する。
【００４３】
［第２の実施の形態］
第２の実施の形態は、予め定められた期間、同じ設定温度に停止していた回数に基づいて設定温度を変更する点で第１の実施の形態と異なっている。なお、以下の各実施の形態において、第１の実施の形態と同じ機能及び構成を有する部分については、第１の実施の形態と同じ符号を付し、その説明は省略するものとする。
【００４４】
図４（ａ）は、第２の実施の形態に係る履歴情報を説明するための図であり、（ｂ）は、第２の実施の形態に係る操作装置の動作を説明するためのフローチャートである。
【００４５】
本実施の形態に係る履歴情報１４０は、例えば、図４（ａ）に示すように、同一設定温度停止時間情報１４２を含んで構成されている。
【００４６】
この同一設定温度停止時間情報１４２は、例えば、予め定められた期間、同じ設定温度に停止していた回数をカウントしたものである。具体的には、履歴情報生成部１３は、例えば、予め定められた期間（一例として、５分間）、設定温度が変更されない場合をカウントし、その設定温度に関連付けられた設定回数を＋１増加させた同一設定温度停止時間情報１４２を含む履歴情報１４０を生成する。一例として、履歴情報生成部１３は、１時間、設定温度が２５．０℃のままであれば、この設定温度（２５．０℃）に関連付けられた設定回数を＋１２増加させた同一設定温度停止時間情報１４２を含む履歴情報１４０を生成する。
【００４７】
以下に、本実施の形態に係る操作装置の動作を、図４（ｂ）のフローチャートに従って説明する。
【００４８】
（第２の実施の形態の動作）
操作者が、設定温度を高く変更するため、操作部１２に対して上向きになぞり操作を行う。
【００４９】
操作部１２は、なされた操作に基づいて操作情報を生成し、履歴情報生成部１３及び制御部１６に出力する。
【００５０】
制御部１６は、操作情報を取得すると（Ｓ１０）、現在の設定温度よりも高い設定温度に変更するのか否かを判定する。
【００５１】
制御部１６は、現在の設定温度よりも高い設定温度となるように操作部１２が操作されたと判定すると（Ｓ１１：Ｙｅｓ）、記憶部１４から履歴情報１４０を読み出し、この履歴情報１４０に基づいて現在の設定温度よりも高く、かつ、予め定められた期間、同じ設定温度に停止していた回数が最も多い設定温度を表示部１０に表示させる（Ｓ１２）。制御部１６は、変更した設定温度に基づいた制御信号を空調装置に出力する（Ｓ１３）。
【００５２】
例えば、図２（ｂ）のグラフの回数を、この予め定められた期間、同じ設定温度に停止していた回数とすると、現在の設定温度（２５．０℃）よりも高い設定温度で、回数が最も多い設定温度は、２７．５℃であるから、制御部１６は、表示部１０の設定温度表示領域１００の表示が２７．５℃となる表示制御信号を生成して表示部１０に出力すると共に、設定温度が２７．５℃となる制御信号を生成し、空調装置に出力する。
【００５３】
また、操作者が現在の設定温度よりも低い設定温度とするなぞり操作を操作部１２に行った場合、つまり、ステップ１１において「Ｎｏ」が成立する場合（Ｓ１１：Ｎｏ）、読み出した履歴情報１４０に基づいて現在の設定温度よりも低く、かつ、予め定められた期間、同じ設定温度に停止していた回数が最も多い設定温度を表示部１０に表示させる（Ｓ１４）。図２（ｂ）に示すグラフを参照すると、条件を満たす設定温度は、２５．０℃であるから、制御部１６は、表示部１０の設定温度表示領域１００の表示が２５．０℃となる表示制御信号を生成して表示部１０に出力すると共に、設定温度が２５．０℃となる制御信号を生成し、空調装置に出力する。
【００５４】
（第２の実施の形態の効果）
本実施の形態に係る操作装置１は、現在の設定温度から上昇又は下降させるかを判定した後、履歴情報１４０に基づいて、予め定められた期間、同じ設定温度に停止していた回数が最も多く設定された設定温度を表示部１０に表示させ、空調装置にその設定温度に応じた制御信号を出力するので、空調装置の設定温度を、容易に所望の設定温度に設定することができ、操作性が向上する。
【００５５】
［第３の実施の形態］
第３の実施の形態は、予め定められた期間の設定温度の平均を算出し、算出された平均の設定温度ごとの回数に基づいて設定温度を変更する点で上記の各実施の形態と異なっている。
【００５６】
図５（ａ）は、第３の実施の形態に係る履歴情報を説明するための図であり、（ｂ）は、第３の実施の形態に係る操作装置の動作を説明するためのフローチャートである。
【００５７】
本実施の形態に係る履歴情報１４０は、例えば、図５（ａ）に示すように、設定温度平均値情報１４３を含んで構成されている。
【００５８】
この設定温度平均値情報１４３は、例えば、予め定められた期間の平均の設定温度を算出し、算出された設定温度ごとの回数をカウントしたものである。具体的には、履歴情報生成部１３は、例えば、予め定められた期間（一例として、５分間）の設定温度の平均を算出し、算出された設定温度に関連付けられた設定回数を＋１増加させた設定温度平均値情報１４３を含む履歴情報１４０を生成する。一例として、履歴情報生成部１３は、５分間の設定温度の平均が２５．０℃であれば、この設定温度（２５．０℃）に関連付けられた設定回数を＋１増加させた設定温度平均値情報１４３を含む履歴情報１４０を生成する。
【００５９】
以下に、本実施の形態に係る操作装置の動作を、図５（ｂ）のフローチャートに従って説明する。
【００６０】
（第３の実施の形態の動作）
操作者が、設定温度を高く変更するため、操作部１２に対して上向きになぞり操作を行う。
【００６１】
操作部１２は、なされた操作に基づいて操作情報を生成し、履歴情報生成部１３及び制御部１６に出力する。
【００６２】
制御部１６は、操作情報を取得すると（Ｓ２０）、現在の設定温度よりも高い設定温度に変更するのか否かを判定する。
【００６３】
制御部１６は、現在の設定温度よりも高い設定温度となるように操作部１２が操作されたと判定すると（Ｓ２１：Ｙｅｓ）、記憶部１４から履歴情報１４０を読み出し、この履歴情報１４０に基づいて現在の設定温度よりも高く、かつ、平均の設定温度として算出された回数が最も多い設定温度を表示部１０に表示させる（Ｓ２２）。制御部１６は、変更した設定温度に基づいた制御信号を空調装置に出力する（Ｓ２３）。
【００６４】
例えば、図２（ｂ）のグラフの回数を、この平均の設定温度として算出された回数とし、設定温度を平均の設定温度とすると、現在の設定温度（２５．０℃）よりも高い設定温度で、回数が最も多い設定温度は、２７．５℃であるから、制御部１６は、表示部１０の設定温度表示領域１００の表示が２７．５℃となる表示制御信号を生成して表示部１０に出力すると共に、設定温度が２７．５℃となる制御信号を生成し、空調装置に出力する。
【００６５】
また、操作者が現在の設定温度よりも低い設定温度とするなぞり操作を操作部１２に行った場合、つまり、ステップ２１において「Ｎｏ」が成立する場合（Ｓ２１：Ｎｏ）、読み出した履歴情報１４０に基づいて現在の設定温度よりも低く、かつ、平均の設定温度として算出された回数が最も多い設定温度を表示部１０に表示させる（Ｓ２４）。図２（ｂ）に示すグラフを参照すると、条件を満たす設定温度は、２５．０℃であるから、制御部１６は、表示部１０の設定温度表示領域１００の表示が２５．０℃となる表示制御信号を生成して表示部１０に出力すると共に、設定温度が２５．０℃となる制御信号を生成し、空調装置に出力する。
【００６６】
（第３の実施の形態の効果）
本実施の形態に係る操作装置１は、現在の設定温度から上昇又は下降させるかを判定した後、履歴情報１４０に基づいて、平均の設定温度として算出された回数が最も多い平均の設定温度を表示部１０に表示させ、空調装置にその設定温度に応じた制御信号を出力するので、空調装置の設定温度を、容易に所望の設定温度に設定することができ、操作性が向上する。
【００６７】
［第４の実施の形態］
第４の実施の形態は、季節に応じた履歴情報を生成する点で上記の各実施の形態と異なっている。
【００６８】
図６（ａ）は、第４の実施の形態に係る履歴情報を説明するための図である。
【００６９】
本実施の形態に係る履歴情報１４０は、例えば、図６（ａ）に示すように、設定回数情報１４１及び設定温度季節情報１４４を含んで構成されている。
【００７０】
この設定温度季節情報１４４は、例えば、１年を４つの季節に分け、その季節と設定回数情報１４１とを関連付けて格納したものである。この季節の分け方としては、一例として、春（３月〜５月）、夏（６月〜８月）、秋（９月〜１１月）及び冬（１２月〜２月）を用いる。車両内部の温度は、季節に応じ大きく変動する。例えば、設定された回数が最も多い設定温度は、季節により異なることが予想される。そこで、本実施の形態の操作装置１は、季節に応じた履歴情報１４０を生成するように構成されている。
【００７１】
なお、履歴情報１４０は、前述の同一設定温度停止時間情報１４２又は設定温度平均値情報１４３を備える構成であっても良い。例えば、履歴情報１４０が、同一設定温度停止時間情報１４２及び設定温度季節情報１４４を備える場合、季節と同一設定温度停止時間情報１４２が関連付けられる。
【００７２】
従って、操作装置１は、設定温度を現在の設定温度から上昇させる操作がなされた場合、履歴情報１４０に基づいて、現在の設定温度よりも高く、かつ、現在の季節において設定された回数が最も多い設定温度を表示部１０に表示させる。また、操作装置１は、設定温度を現在の設定温度から下降させる操作がなされた場合、履歴情報１４０に基づいて、現在の設定温度よりも低く、かつ、現在の季節において設定された回数が最も多い設定温度を表示部１０に表示させる。
【００７３】
（第４の実施の形態の効果）
本実施の形態に係る操作装置１は、季節に応じて履歴情報１４０を生成するので、操作者は、容易に所望の設定温度に設定することができ、操作性が向上する。
【００７４】
［第５の実施の形態］
第５の実施の形態では、車両の電子キーから取得する個人識別情報（識別情報）に基づいて、操作者に応じた履歴情報を生成する点で上記の各実施の形態と異なっている。
【００７５】
図６（ｂ）は、第５の実施の形態に係る履歴情報を説明するための図であり、（ｃ）は、操作装置が搭載された車両の車両システムに関するブロック図である。
【００７６】
本実施の形態に係る履歴情報１４０は、例えば、図６（ｂ）に示すように、設定回数情報１４１及び個人識別情報１４５を含んで構成されている。
【００７７】
また、操作装置１が搭載される車両の車両システム３とは、例えば、車両制御部３１を中心としたシステムを示している。車両システム３は、例えば、図６（ｃ）に示すように、通信部３０と、車両制御部３１と、電子キー４と、空調装置５と、を備えて概略構成されている。
【００７８】
この車両は、例えば、電子キー４によってドアの施錠及び開錠、エンジンの始動等が行えるように構成されている。また、電子キー４は、例えば、操作者ごとに異なる個人識別情報を有する。操作者が電子キー４を操作すると、通信部３０及び車両制御部３１を介して操作装置１に個人識別情報が出力される。操作装置１の履歴情報生成部１３は、この個人識別情報に基づいて操作者ごとの個人識別情報１４５と設定回数情報１４１とを関連付けた履歴情報１４０を生成する。
【００７９】
なお、履歴情報１４０は、前述の同一設定温度停止時間情報１４２又は設定温度平均値情報１４３を備える構成であっても良い。例えば、履歴情報１４０が、同一設定温度停止時間情報１４２及び個人識別情報１４５を備える場合、同一設定温度停止時間情報１４２と個人識別情報１４５が関連付けられる。
【００８０】
従って、操作装置１は、設定温度を現在の設定温度から上昇させる操作がなされた場合、履歴情報１４０に基づいて、現在の設定温度よりも高く、かつ、識別された操作者が設定した回数が最も多い設定温度を表示部１０に表示させる。また、操作装置１は、設定温度を現在の設定温度から下降させる操作がなされた場合、履歴情報１４０に基づいて、現在の設定温度よりも低く、かつ、識別された操作者が設定した回数が最も多い設定温度を表示部１０に表示させる。
【００８１】
（第５の実施の形態の効果）
本実施の形態に係る操作装置１は、操作者に応じて履歴情報１４０を生成するので、操作者ごとに適した設定温度を選択することができ、操作性が向上する。
【００８２】
上記の各実施の形態の変形例として、操作装置１は、設定回数情報１４１、同一設定温度停止時間情報１４２、設定温度平均値情報１４３、設定温度季節情報１４４及び個人識別情報１４５を組み合わせて履歴情報１４０を生成する構成としても良い。
【００８３】
上記の実施の形態及び変形例に係る操作装置１は、一例として、車両に搭載された空調装置（被制御装置）を制御するものであったが、これに限定されない。例えば、操作装置１は、被制御装置としてのオーディオ装置に接続された場合、操作者は、設定値としての音量を、所望の音量に容易に変更することができ、操作性が向上する。
【００８４】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００８５】
１…操作装置、３…車両システム、４…電子キー、５…空調装置、１０…表示部、１２…操作部、１３…履歴情報生成部、１４…記憶部、１６…制御部、３０…通信部、３１…車両制御部、１００…設定温度表示領域、１０１…風量表示領域、１０２…吹出口表示領域、１２１〜１２６…第１の電極〜第６の電極、１４０…履歴情報、１４１…設定回数情報、１４２…同一設定温度停止時間情報、１４３…設定温度平均値情報、１４４…設定温度季節情報、１４５…個人識別情報
【図１】
2013052815.tif 000003
【図２】
2013052815.tif 000004
【図３】
2013052815.tif 000005
【図４】
2013052815.tif 000006
【図５】
2013052815.tif 000007
【図６】
2013052815.tif 000008